(57)【要約】【課題】装置全体の大型化を抑制することができる指紋撮影装置を提供する。【解決手段】指紋を含む検体表面に光を照射するための光源３と、検体表面４の指紋５を含む画像を撮影するための撮影機１１と、この撮影機１１を支持する一端側２ａと、検体表面側に位置させる他端側２ｂとを有する筒状遮光体２と、を備え、光源３を撮影機１１の撮影レンズ１０の表面近傍に配置したことを特徴とする。光源３を撮影レンズ１０の口径よりも小さいサイズに設定し、かつ撮影レンズ１０の中央部に配置することが好ましい。【選択図】図２
2010035912.tif 000002
【特許請求の範囲】
【請求項１】
指紋を含む検体表面に光を照射するための光源と、
検体表面の指紋を含む画像を撮影するための撮影機と、
この撮影機を支持する一端側と、検体表面側に位置させる他端側とを有する筒状遮光体と、を備え、
前記光源を前記撮影機の撮影レンズの表面近傍に配置したことを特徴とする指紋撮影装置。
【請求項２】
前記光源を前記撮影レンズの口径よりも小さいサイズに設定し、かつ撮影レンズの中央部に配置したことを特徴とする請求項１に記載の指紋撮影装置。
【発明の詳細な説明】
【技術分野】
【０００１】
本発明は、指紋を含む検体表面に光を照射するための光源と、検体表面の指紋を含む画像を撮影するための撮影機とを備えた指紋撮影装置に関するものである。
【背景技術】
【０００２】
犯罪現場に残された遺留品から容疑者を割り出したり、身元を確認したりする方法として、その遺留品の表面に付着残留している指紋を検出する方法が広く用いられている。
【０００３】
人の皮膚からは、水分を主体として、その他に塩化ナトリウム、カリウム、カルシウムといった無機質、アミノ酸、乳酸といった有機物、皮脂などが絶えず分泌されており、物体表面に残された指紋は、これらの分泌物が指先から物体表面へと転写されて形成されたものである。物体表面に形成された指紋には、可視的な顕在指紋と、肉眼では見えないが特別な手段によって検出可能な潜在指紋とに分けられる。
【０００４】
顕在指紋は、そのままゼラチン紙に転写するか、特殊撮影方法を使用し採取される。また、潜在指紋の検出には、アルミニウムなどの微粉末を潜在指紋の成分に付着させて顕在化する粉末法（固体法）、ニンヒドリンなどを含む溶液を付着させて潜在指紋の成分と反応させて顕在化する溶液法（液体法）、ヨウ素ガスやシアノアクリレートガスなどを潜在指紋の成分と反応させて顕在化する気体法などの方法が用いられている（例えば、特許文献１など）。
【０００５】
そして、顕在指紋、および顕在化された潜在指紋は、証拠保全のために写真撮影されることがある。しかしながら、例えば、前述したシアノアクリレートガスで処理された指紋は、顕在化されてはいるものの、容易に目視観察することができず、それらの指紋を写真撮影する際には、斜めからライトで光を照射し、指紋隆線に影をつけて撮影を行なっている。そのため、その撮影作業には多大な時間と労力を要している。また、前述の固体法、液体法、気体法などの方法により潜在指紋を顕在化してしまうと、元々の指紋に何らかの手を加えることになり、指紋を生のまま保存することができなくなってしまう。
【０００６】
この問題点を解決するための手段として、下記の特許文献２には、外光を遮断する外光遮断フード内部に光を照射する光源と、光源から発せられた光を軽度に収束させてその光が検体表面で正反射し撮影機に入射するように配設した光学系と、前記外光遮断フードに着脱自在に固定し潜在指紋を含む検体を撮影する撮影機とを備える指紋撮影装置が記載されている。この指紋撮影装置によれば、撮影機を取り外して指紋を容易に目視することができ、目視観察が困難な不鮮明な指紋も短時間に簡単な操作で写真撮影することができる。
【０００７】
また、下記の特許文献３にも、外光を遮断する筺体内に、紫外線光源、レンズ、固体撮像素子（撮影機に相当）等を配置した指紋撮影装置が記載されている。
【０００８】
【特許文献１】特開昭６０−５０２０８８号公報
【特許文献２】特開平６−１４７８５２号公報
【特許文献３】特開２００１−３４７３８号公報
【発明の開示】
【発明が解決しようとする課題】
【０００９】
上記先行技術における課題は次の通りである。すなわち、引用文献２では、光源からの光を検体表面に導入するためのハーフミラーを設けており、撮影機の光路（垂直方向）に直交するように光源用の光路（左右方向）を構成しているため、装置全体が大きくなり、撮影を行うときに取り付けた装置がバランスを失わないように支えておく必要が生じる。従って、操作性の面で改善する余地があった。
【００１０】
また、引用文献３では、ハーフミラーは設けていないが、撮像用の光路と光源用の光路が傾斜した状態で設定されているため、やはり装置が大型化せざるをえない。また、撮像用の光路を斜めに設定すると、検体表面の全域に焦点を合わせることが難しくなり、不鮮明な指紋画像が撮影される可能性がある。
【００１１】
本発明は上記実情に鑑みてなされたものであり、その課題は、装置全体の大型化を抑制することができる指紋撮影装置を提供することである。
【課題を解決するための手段】
【００１２】
上記課題を解決するため本発明に係る指紋撮影装置は、
指紋を含む検体表面に光を照射するための光源と、検体表面の指紋を含む画像を撮影するための撮影機と、この撮影機を支持する一端側と、検体表面側に位置させる他端側とを有する筒状遮光体と、を備え、
前記光源を前記撮影機の撮影レンズの表面近傍に配置したことを特徴とするものである。
【００１３】
この構成による指紋撮影装置の作用・効果を説明する。筒状遮光体の一端側に撮影機が支持され、撮影時には、他端側が検体表面に位置される。また、光源は、撮影機の撮影レンズの表面近傍に配置されるので、撮影光路と光源光路とは一致もしくはほぼ一致する状態で構成することができる。したがって、ハーフミラーのような部材を設ける必要もなく、装置全体の大型化を抑制することができる。さらに、撮影レンズの表面近傍に配置するので、光源の形状が写りこむこともなく、鮮鋭度の良い指紋画像を撮影することができる。
【００１４】
本発明において、前記光源を前記撮影レンズの口径よりも小さいサイズに設定し、かつ撮影レンズの中央部に配置することが好ましい。中央部に配置することで、光源の光路を撮影光路と一致させることができ、検体表面を均一に照射することができる。また、レンズの口径よりも小さな光源を用いるので、被写体光を撮影レンズで捉えることができる。
【発明を実施するための最良の形態】
【００１５】
本発明に係る指紋撮影装置の実施形態の一例について図面を用いて説明する。図１は、指紋撮影装置の外観構成を示す斜視図である。図２は、指紋撮影装置の内部構成を示す概略図である。図３は、光源の構成を示す正面図である。指紋撮影装置Ａは、主として、撮影部１、遮光部２（筒状遮光体に相当）とから構成される。
【００１６】
＜第１実施形態の構成＞
撮影部１として、撮影機１１を用いる例を図に示す。なお、撮影機１１としては、スチールカメラやＣＣＤカメラ、ビデオなどを用いることができる。また、撮影機１１には、マクロ撮影が可能なマクロレンズ１０（撮影レンズに相当）が取り付けられている。
【００１７】
遮光部２は、図２にも示すように円筒形の筒状を呈しており、外光を遮断する機能を有する。なお、形状については上記に限定されるものではなく、角筒状等に形成されていてもよい。遮光部２の一端側２ａは、撮影機１１のマクロレンズ１０が支持されている。撮影機１１を支持する方法としては、例えば、マクロレンズ１０の先端に形成されたフィルター取り付けねじを利用してもよいし、単に載置するような構成を採用してもよい。
【００１８】
遮光部２の他端側２ｂは、検体表面４に位置させられる。検体表面4の上に存在する指紋５が真中に来るように遮光部２が位置させられる。遮光部２の中心と、マクロレンズ１０の光軸とは、一致した状態である。
【００１９】
光源３は、検体表面４に光を照射するためのものであり、遮光部２の一端側２ａに取り付けられている。光源３は、マクロレンズ１０を構成するレンズ群のうち、最前面に位置するレンズ１０ａの表面近傍に設けられる。光源３は、一端側２ａに支持部３ａを介して取り付けられており、ちょうどレンズ１０ａの中心に位置している。光源３への電源供給ライン等は、支持部３ａを介して行われる。
【００２０】
指紋５を含む検体表面４の画像は、結像面１２に位置するＣＣＤ等の撮像素子やフィルムにより捉えられる。このとき、光源３は、レンズ１０ａの表面近傍に配置しているので、光源３の形状が結像面１２に結像することはない。従って、光源３がレンズ１０ａの最前面に位置していても、指紋５の画像を明瞭に撮影することができる。
【００２１】
また、撮影機１１のファインダーで画像を確認する時も、光源３の形状は結像しないので、合焦操作やその他の操作において支障になることはない。
【００２２】
なお、光源３の形状はマクロレンズ１０の口径よりも小さな形状であり、被写体光をマクロレンズ１０に取り込むことができる。
【００２３】
光源３の具体例としては、ＬＥＤを利用した光源とすることが好ましい。指紋画像を明瞭に撮影するためには、できるだけ検体表面４に対して垂直な光を照射し、指紋５の形成箇所で乱反射させる必要がある。従って、比較的指向性の強いＬＥＤを光源とすることが好ましい。もちろん、光源３としては、ＬＥＤに限定されるものではなく、ＥＬ光源や蛍光灯などを利用してもかまわない。
【００２４】
以上の構成によれば、簡素な構成で指紋撮影装置Ａを構成することができる。遮光部２は、先行技術とは異なり、単純な筒状に形成できるので、重心も光軸近傍に位置するため、安定した状態で撮影することができる。また、遮光部２の一端側２ａに光源３が配置されるので、遮光部２を小型化することができ、指紋撮影装置Ａ全体の大きさも抑制することができる。
【００２５】
＜第２実施形態の構成＞
次に、光源３の配置構成が異なる実施形態を図４，５により説明する。この実施形態では、光源６がリング状であり、真中に被写体光を通過させるための穴が形成される。光源６は、遮光部２の一端側２ａに取り付けられる。
【００２６】
＜別実施形態＞
光源３の配置構成は、本実施形態で説明したものに限定されるものではなく、種々の変形例が考えられる。例えば、図３では、レンズ１０ａの中心に光源３を配置しているが、中心ではなく、周辺に配置してもよい。また、光源３を遮光部２に取り付けるのではなく、マクロレンズ１０に取り付けるように構成してもよい。例えば、マクロレンズ１０のフィルター取り付けネジを利用して取り付けるようにしてもよい。
【００２７】
光源３の駆動回路については、図示はしてないが別途設けることができる。あるいは、撮影機１１の内部に駆動回路を持たせるようにしてもよい。
【図面の簡単な説明】
【００２８】
【図１】指紋撮影装置の外観構成を示す斜視図
【図２】指紋撮影装置の内部構成を示す概略図
【図３】光源の構成を示す正面図
【図４】光源の配置構成が異なる実施形態を示す図
【図５】光源の構成を示す正面図
【符号の説明】
【００２９】
Ａ        指紋撮影装置
１        撮影部
２        遮光部
２ａ      一端側
２ｂ      他端側
３        光源
３ａ      支持部
４        検体表面
５        指紋
６        光源
１０      マクロレンズ
１１      撮影機
１２      結像面
【図１】
2010035912.tif 000003
【図２】
2010035912.tif 000004
【図３】
2010035912.tif 000005
【図４】
2010035912.tif 000006
【図５】
2010035912.tif 000007